(57)【要約】【課題】耐久性及び地面との固定強度に優れた防草シートの留め具を提供する。【解決手段】回転工具に適合する頭部と、該頭部の下面中央から延びる円柱状の軸部とを備え、前記軸部は、直径が５〜１５ｍｍで先端が尖り、軸方向の長さが１００〜５００ｍｍで、外周には螺旋状のネジ山が前記軸部の先端から軸方向長さの１／２以上形成され、かつ前記頭部の下面から５ｍｍ以上離れた位置まではネジ山が形成されず、前記頭部の内接円の直径（ｄ１）は前記軸部の直径（ｄ２）より大きく、隣り合うネジ山の軸方向の間隔が３〜１０ｍｍ、ネジ山の高さが１〜３ｍｍであり、かつ前記留め具が鉄からなり、該鉄表面には鉄よりイオン化傾向の大きい金属の溶融めっき層が形成されている、防草シートの留め具。【選択図】図１
2013188171.tif 000002
【特許請求の範囲】
【請求項１】
防草シートを地面に固定するための留め具であって、
回転工具に適合する頭部と、該頭部の下面中央から延びる円柱状の軸部とを備え、
前記軸部は、直径が５〜１５ｍｍで先端が尖り、軸方向の長さが１００〜５００ｍｍで、外周には螺旋状のネジ山が前記軸部の先端から軸方向長さの１／２以上形成され、かつ前記頭部の下面から５ｍｍ以上離れた位置まではネジ山が形成されず、
前記頭部の内接円の直径（ｄ１）は前記軸部の直径（ｄ２）より大きく、
隣り合うネジ山の軸方向の間隔が３〜１０ｍｍ、ネジ山の高さが１〜３ｍｍであり、かつ
前記留め具が鉄からなり、該鉄表面には鉄よりイオン化傾向の大きい金属の溶融めっき層が形成されていることを特徴とする、防草シートの留め具。
【請求項２】
前記留め具が、防草シートと頭部の下面との間に介装されるワッシャーをさらに備え、
該ワッシャーが直径２０〜１００ｍｍの円盤であり、
該ワッシャーが、前記軸部が貫通する孔を有し、該孔の直径（ｄ３）が下記式（１）を満足し、かつ
該ワッシャーが、鉄からなり、該鉄表面には鉄よりイオン化傾向の大きい金属の溶融めっき層が形成されている請求項１に記載の防草シートの留め具。
ｄ２＜ｄ３＜（ｄ１＋ｄ２）／２      （１）
【発明の詳細な説明】
【技術分野】
【０００１】
本発明は、防草シートの留め具に関する。
【背景技術】
【０００２】
道路の法面、路肩あるいは中央分離帯などの雑草は、景観を悪化させるのみならず、道路の幅員を狭めたり、運転者の視界を悪化させたりして交通の安全を損なうおそれがあるため、除草作業が行われる。また、火災発生のおそれや、害虫の発生など、近隣に対して悪影響を与えるおそれもあり、その点からも除草作業は重要である。
【０００３】
このような除草作業の具体的方法としては、一般的には、人手による草刈りや除草剤の散布が行われている。しかしながら、草刈りは重労働であるため、近年の人手不足や作業者の高齢化等によって、作業員の確保が困難であるという問題を有している。また、道路の中央分離帯などの草刈りの作業には危険を伴うため、丁寧な除草を行うことが容易ではない。さらに、除草剤の散布については、その安全性等の問題から使用範囲が限られているのが現状である。
【０００４】
以上のような問題を解決するために、ソイルカバー又はマルチング材といわれるマットやシートなどを地表面に敷いて日光を遮断することにより、雑草の成長を抑制する方法が知られている。以下、本明細書ではこのようなマットやシートのことを総称して防草シートと称す。
【０００５】
特許文献１には、耐水性ベースポリマー、遮光剤及び水溶性アルミニウム塩を含有する植物成長抑制組成物が記載されている。そして、当該植物成長抑制組成物からなる層を少なくとも１層有し、地面の上に配置される植物成長抑制シートを地面の上に敷設することが記載されている。
【０００６】
ところで、防草シートを地面の上に敷設する際には、当該防草シートが風雨などで捲れないように固定する必要がある。特に、道路の法面、路肩あるいは中央分離帯などで使用する場合には、安全上の観点から風で防草シートが飛散しないように確実に固定する必要がある。そのため、防草シートを地面の上に単に敷設するのではなく、敷設した後に防草シートを貫通する杭やピンなどの留め具を使って地面に固定する方法がとられる。
【０００７】
特許文献２には、シート状物押え杭が記載されている。このシート状物押え杭は、全体が合成樹脂製で一体に形成されており、円板状を呈してシート状物を押える押え板の下面中央部に、横断面が円形の支持杭が下方向に突設され、該支持杭の外周面の少なくとも下側の部分には、螺旋状突部が該支持杭の軸線回りに設けられ、該螺旋状突部は、下端に向けて先細りに形成されており、又、前記押え板の上面の中央部分には、前記支持杭の軸線と同心に、上端開放で且つドライバーの先端係合部を挿入させるためのドライバー係合孔部が設けられていることを特徴とするものである。そして、この押え杭を用いて防草シートを固定すると、前記螺旋状突部が抵抗となって地中から抜け難くなり防草シートを地面に安定的に固定できるとされている。
【０００８】
しかしながら、特許文献２に記載されているシート状物押え杭は、合成樹脂製で形成されているため硬い地面に打ち込むことが困難であるだけでなく、風雨等の気候の変化で割れが生じるといった問題があった。また、固定強度（地面からの引き抜き抵抗力）も未だ十分であるとはいえない。
【先行技術文献】
【特許文献】
【０００９】
【特許文献１】特開２００９−１９６９１０号公報
【特許文献２】特開２０１１−２２３９１３号公報
【発明の概要】
【発明が解決しようとする課題】
【００１０】
本発明は上記課題を解決するためになされたものであり、耐久性及び地面との固定強度に優れた、防草シートの留め具を提供することを目的とするものである。
【課題を解決するための手段】
【００１１】
上記課題は、防草シートを地面に固定するための留め具であって、回転工具に適合する頭部と、該頭部の下面中央から延びる円柱状の軸部とを備え、上記軸部は、直径が５〜１５ｍｍで先端が尖り、軸方向の長さが１００〜５００ｍｍで、外周には螺旋状のネジ山が上記軸部の先端から軸方向長さの１／２以上形成され、かつ上記頭部の下面から５ｍｍ以上離れた位置まではネジ山が形成されず、上記頭部の内接円の直径（ｄ１）は上記軸部の直径（ｄ２）より大きく、隣り合うネジ山の軸方向の間隔が３〜１０ｍｍ、ネジ山の高さが１〜３ｍｍであり、かつ上記留め具が鉄からなり、該鉄表面には鉄よりイオン化傾向の大きい金属の溶融めっき層が形成されていることを特徴とする、防草シートの留め具を提供することによって解決される。
【００１２】
また、上記留め具が、防草シートと頭部の下面との間に介装されるワッシャーをさらに備えることが好ましい。このとき、当該ワッシャーが直径２０〜１００ｍｍの円盤であることも好ましい。また、上記ワッシャーが、上記軸部が貫通する孔を有し、該孔の直径（ｄ３）が下記式（１）を満足することも好ましい。
ｄ２＜ｄ３＜（ｄ１＋ｄ２）／２      （１）
【００１３】
さらに、上記ワッシャーが、鉄からなり、該鉄表面には鉄よりイオン化傾向の大きい金属の溶融めっき層が形成されていることも好ましい。
【発明の効果】
【００１４】
本発明により、耐久性及び地面との固定強度に優れた、防草シートの留め具を提供することができる。
【図面の簡単な説明】
【００１５】
【図１】実施形態に係る防草シートの留め具１の側面図である。
【図２】図１のネジ部３１において実線で囲んだ箇所の断面図である。
【図３】図１の留め具１を用いて防草シートを地面に固定したときの図である。
【発明を実施するための形態】
【００１６】
本発明は、防草シートを地面に固定するための留め具であって、回転工具に適合する頭部と、該頭部の下面中央から延びる円柱状の軸部とを備える。本発明の防草シートの留め具は、軸部の外周に螺旋状のネジ山が当該軸部の先端から軸方向長さの１／２以上形成され、かつ頭部の下面から５ｍｍ以上離れた位置まではネジ山が形成されていないことが重要である。
【００１７】
軸部の外周に螺旋状のネジ山が当該軸部の先端から軸方向長さの１／２以上形成されていることで、固定強度（地面からの引き抜き抵抗力）を十分に得ることができる。また、頭部の下面から５ｍｍ以上離れた位置まではネジ山が形成されていない。そのため、留め具を地面にねじ込んで当該防草シートを固定したときに、防草シートとネジ山とが接触しない。したがって、ネジ山によって防草シートが破損することを防ぐことができる。
【００１８】
また、本発明において、防草シートの留め具が鉄からなることも重要である。これにより、硬い地面にもねじ込むことができるだけでなく、風雨等の気候の変化で割れが生じることもない。さらに、当該鉄表面は鉄よりイオン化傾向の大きい金属の溶融めっき層が形成されていることも重要である。留め具の表面に鉄よりイオン化傾向の大きい金属の溶融めっき層が形成されていることで、優れた防食効果を得ることができ耐久性が向上する。また、溶融めっきは電気めっきと比べて厚膜を低コストで形成できる点からも好ましい。
【００１９】
溶融めっき層が鉄よりイオン化傾向の大きい金属の溶融めっき層であるということは、鉄との関係において溶融めっき層の方が酸化されやすいということを意味する。したがって、鉄よりイオン化傾向の大きい金属の溶融めっき層が形成されている場合、留め具の鉄表面にまで達するキズが発生したとしても、溶融めっき層が酸化されて電子を放出することで、鉄からの電子の放出が妨げられる。その結果、鉄の酸化が抑制される犠牲防食効果が得られる。また、留め具を地中にねじ込む際には、小石や砂に接触してめっき層が傷つくことが避けられない。この点からも、鉄よりイオン化傾向の大きい金属の溶融めっき層が形成されていることが重要である。
【００２０】
一般的に、溶融めっきには、亜鉛、アルミニウム、鉛、スズ、又はこれらの合金めっきなどが知られているが、本発明では留め具が鉄からなるので上記溶融めっきのうち鉄よりイオン化傾向の小さい金属である鉛、スズなどのめっきでは犠牲防食効果を期待することができない。したがって、良好な犠牲防食効果を得るためには溶融めっきの中でも溶融アルミニウムめっき、溶融亜鉛めっきが好ましく、溶融亜鉛めっきがより好ましい。
【００２１】
以下、図面を参照しながら、本発明の実施形態に係る防草シートの留め具１について説明する。本実施形態で説明する態様は、単に具体例を示すものであり本願発明の技術的範囲を何ら限定するものではない。よって、本願の効果を奏する範囲において任意の構成を採用することが可能である。
【００２２】
まず、本発明の実施形態に係る防草シートの留め具１の各構成について説明する。図１は、実施形態に係る防草シートの留め具１の側面図である。図１に示すように、本発明の実施形態に係る防草シートの留め具１（以下単に留め具１と称す）は、頭部２と軸部３とを備えている。
【００２３】
頭部２はスパナなどの回転工具に接触させる部分であり、その形状は多角形であることが好ましい。頭部２の形状は、具体的には図１に示すように、スパナやレンチなどの回転工具と適合が容易な六角形であることが好ましい。また、頭部２の頂面に回転工具と嵌合する溝や穴が設けられてもよい。マイナスドライバー、プラスドライバー、レンチ等の回転工具と嵌合する溝や穴であれば、その形状は限られるものではないが、例えば一文字の穴、十文字の穴、プラスマイナス穴、六角穴、四角穴などを例示することができる。頭部２の頂部に回転工具と嵌合する溝や穴が設けられている場合、頭部２の形状は円形であってもかまわない。また、頭部２の内接円の直径（ｄ１）は後述する軸部３の直径（ｄ２）より大きい。
【００２４】
軸部３は円柱状であり、頭部２の下面中央から延びており先端が尖っている。軸部３の直径は５〜１５ｍｍであり、軸方向の長さが１００〜５００ｍｍである。図１に示すように、軸部３は螺旋状のネジ山が形成されたネジ部３１と、ネジ山が形成されていない円筒部３２とを有する。また、軸部３において、当該軸部３の先端から軸方向長さの１／２以上がネジ部３１であり、頭部３の下面から５ｍｍ以上離れた位置までは円筒部３２である。
【００２５】
図１に示した留め具１の実寸法は、頭部２の内接円の直径（ｄ１）が約２０ｍｍである。また、軸部３の直径（ｄ２）が約８ｍｍ、軸方向長さが約１５０ｍｍ、軸部３の先端から約１００ｍｍまでがネジ部３１であり、頭部２の下面から約５０ｍｍが円筒部３２である。
【００２６】
図２は、図１のネジ部３１において実線で囲んだ箇所の断面図である。図２に示すように、ネジ部３１にはネジ山３３が形成されている。隣り合うネジ山３３の軸方向の間隔（ｐ）は３〜１０ｍｍであり、ネジ山の高さ（ｈ）は１〜３ｍｍである。図２に示した留め具１の実寸法は、ネジ山３３の軸方向の間隔（ｐ）が約４ｍｍであり、ネジ山の高さ（ｈ）が約１．５ｍｍである。
【００２７】
図示例では、ネジ山３３の形状は三角形であり頂部が鋭角であるが、それら形状は本発明の効果を阻害しない範囲において変更することが可能である。例えば、ネジ山３３の形状は四角形や台形であってもよいし、ネジ山３３の頂部が平坦又は丸みを帯びていてもよい。
【００２８】
また、例えば鉄製の丸棒に転造加工してネジ山３３を形成した場合、ネジ部３１の外径が円筒部３２の直径よりも大きくなることがある。上述した軸部３の直径（ｄ２）とは円筒部３２の直径のことである。
【００２９】
図１の説明に戻って、留め具１が防草シートと頭部２の下面との間に介装されるワッシャー４を備えていることが好ましい。このとき、当該ワッシャー４が直径２０〜１００ｍｍの円盤であり、軸部３が貫通する孔を有し、当該孔の直径（ｄ３）が下記式（１）を満足することが好ましい。
ｄ２＜ｄ３＜（ｄ１＋ｄ２）／２      （１）
ただし、孔の直径（ｄ３）はネジ部３１の外径より大きいものとする。
【００３０】
防草シートと頭部２の下面との間にワッシャー４を介装させることで、頭部２の下面でのみ防草シートを押圧する場合と比べて、より広い面積で防草シートを押圧することができ防草シートを地面に安定的に固定することができる。また、ワッシャー４の孔の直径（ｄ３）が上記式（１）を満足することにより頭部２によってワッシャー４の孔を確実に塞ぐことができるのでワッシャー４の孔から光が漏れることがない。
【００３１】
さらに、上記ワッシャー４が、鉄からなり、該鉄表面にも鉄よりイオン化傾向の大きい金属の溶融めっき層が形成されていることも好ましい。このとき、ワッシャー４の表面に形成される溶融めっき層の金属は、留め具１の表面に形成された溶融めっき層の金属と同じであることが好ましい。具体的には、留め具１と同様に、ワッシャー４の表面に形成される溶融めっき層は溶融亜鉛めっき層であることが好ましい。留め具１の表面とワッシャー４の表面を同じ金属からなる溶融めっき層とすることで、留め具１の頭部２とワッシャー４とが直接接触する溶融めっき層との間の電位差をなくすことができる。その結果、腐食電流の発生を抑制することができ、耐食性を向上させることができる。
【００３２】
以上が本発明の実施形態に係る留め具１の各構成についての説明である。次に、留め具１の製造方法の一例について説明する。
【００３３】
本発明の留め具１の製造方法は、特に限定されるものではないが、軸部３とほぼ同じ直径を有する鉄製の丸棒の一端を圧造して頭部２を作製する頭部形成工程と、丸棒の外表面を切削加工し頭部２の形状を多角形にするトリミング工程と、軸部３に対して螺旋状のネジ山を形成するネジ山形成工程と、軸部３の先端を尖らす工程とを備えるものである。
【００３４】
上記頭部形成工程において、例えば鉄製の角棒を旋盤等で切削加工して丸棒としたものを用いてもかまわない。上記ネジ山形成工程においては、ネジ山３３を軸部３の先端から軸方向長さの１／２以上形成し、かつ頭部２の下面から５ｍｍ以上離れた位置まではネジ山３３を形成しない。また、ネジ山３３の形成方法は転造加工や切削加工などを例示することができる。
【００３５】
また、本発明の構成を満足する留め具１を得ることのできる製造方法であれば上記各工程の順序は問わないし、上記工程の他、必要であれば他の工程を加えてもよい。例えば、頭部２の頂面に回転工具と嵌合する溝や穴を形成するための工程を加えてもよい。
【００３６】
さらに、本発明の留め具１の製造方法においては、当該留め具１の鉄表面に鉄よりイオン化傾向の大きい金属の溶融めっき層を形成する溶融めっき工程を備えるものである。ここで溶融めっきとは、基材よりも融点の低い金属を溶融した浴に基材を浸漬させることによって当該基材表面に金属被膜層を形成する処理のことである。本発明において、良好な犠牲防食効果を得るため、留め具１の鉄表面には溶融亜鉛めっき層を形成することが好ましい。したがって、本工程では留め具１に対して溶融亜鉛めっき処理を施すのが好ましい。
【００３７】
本工程における溶融めっき処理は常法に従って行えばよい。例えば、留め具１に対して脱脂処理や酸洗などの前処理をした後、留め具１を、溶融した亜鉛浴の中に漬けて亜鉛めっき層を形成する。このとき、留め具１の形状や寸法などに応じて最適なめっき条件を適宜選択すればよいが、溶融亜鉛めっき層の厚さを５μｍ以上とするのが好ましい。溶融亜鉛めっき層の厚さが厚いほど良好な犠牲防食効果を得ることができ、２０μｍ以上がより好ましく、３０μｍ以上がさらに好ましい。一方、溶融亜鉛めっき層の厚さが厚すぎると製造コストが上昇するので、溶融亜鉛めっき層の厚さは１５０μｍ以下であることが好ましい。
【００３８】
具体的には、溶融亜鉛めっき層は、ＪＩＳ  Ｈ  ８６４１「溶融亜鉛めっき」に規定されているめっきの種類のうち、２種５５（ＨＤＺ５５）又は２種５０（ＨＤＺ５０）を満足することが好ましく、２種５５（ＨＤＺ５５）を満足することがより好ましい。留め具１の鉄表面に溶融亜鉛めっきで亜鉛めっき層を形成すると、電気めっきで亜鉛めっき層を形成した場合と比べてその表面は粗くなりやすい。また、亜鉛の付着量を多くすると図２に示すように、特にネジ山３３やネジ溝３４にいわゆる亜鉛溜まりに由来するコブ３５を形成しやすくなる。その結果、留め具１を地面にねじ込んで固定したときネジ山３３やネジ溝３４に生じたコブ３５が抵抗となり固定強度（地面からの引き抜き抵抗力）をより高くすることができる。したがって、本工程における溶融亜鉛めっき処理では溶融亜鉛めっき層を厚膜とし留め具１に亜鉛溜まりに由来するコブ３５を形成することが好ましい。
【００３９】
以上が留め具１の製造方法の一例についての説明である。次に、留め具１を用いた防草シートの敷設方法の一例について説明する。
【００４０】
図３は、図１の留め具１を用いて防草シート５を地面に固定したときの図である。図３に示すように、土壌６が防草シート５によって覆われ、留め具１の軸部３が防草シート５を貫通した状態で土壌６に差し込まれている。留め具１は地面との固定強度に優れているので、防草シート５を地面に確実に固定することができ、風などで防草シート５が捲れたり飛散したりすることもない。
【００４１】
留め具１を用いて防草シート５を地面に固定するに際して、具体的には、まず、防草シート５を敷設する場所の雑草を予め取り除き整地した後、防草シート５を敷設する。そして、留め具１の軸部３の先端を防草シート５に突き刺し、ハンマー等で留め具１の頭部２を叩いて防草シート５を貫通させる。また、防草シート５に留め具１の打ち込み用の孔を予め設けてもよい。そして、回転工具を用いて当該留め具１の軸部３を地面にねじ込む。このとき、防草シート５、ワッシャー４及び頭部２の下面がそれぞれ密着するまで当該留め具１の軸部３を地面にねじ込む。
【００４２】
また、防草シート５を敷設する場所は植物の成長を抑制したい場所であれば特に限定はされず、道路の法面、路肩あるいは中央分離帯、歩道、公園など、様々な場所を例示することができる。中でも留め具１を用いて防草シート５を敷設する場所としては、道路の法面、路肩あるいは中央分離帯が好ましい。道路の法面、路肩あるいは中央分離帯に防草シート５を敷設する場合、交通規制等を行いながら路上での敷設作業となるため、安全面やコスト面から頻繁に敷設作業を行うことはできない。留め具１は耐久性に優れているので、当該留め具１を用いれば長期に渡って防草シート５を地面に確実に固定することができ、安全面やコスト面からも有用だからである。
【符号の説明】
【００４３】
１  留め具
２  頭部
３  軸部
３１  ネジ部
３２  円筒部
３３  ネジ山
３４  ネジ溝
３５  コブ
４  ワッシャー
５  防草シート
６  土壌
【図１】
2013188171.tif 000003
【図２】
2013188171.tif 000004
【図３】
2013188171.tif 000005